(57)【要約】【課題】洗面ボウルやキッチンのシンク等の水回りにおいて、多量の排水を一度に流す時に生じる目皿のガタ付きをなくし、スムースに排水することができる目皿装着型排水構造を提供する。【解決手段】排水口に取付けられ、先細り状の傾斜面１を有する排水口部材Ａと、該排水口部材Ａに着脱自在に装着され、複数の通水孔３を有する逆円錐台状の目皿Ｂとからなる排水構造であって、上記排水口部材Ａの内面の上記傾斜面１は傾斜角度の大なる急傾斜面１１とそれに連なる傾斜角度の小なる緩傾斜面１２とからなり、上記目皿Ｂの裏面には支持脚４が凸設された目皿装着型排水構造。好ましくは上記緩傾斜面１２の下端を水平に延長して載置面２とし、上記目皿Ｂの支持脚４を載置するとともに、上記緩傾斜面下端と支持脚４とを当接させる。【選択図】図１
2008156881.tif 000002
【特許請求の範囲】
【請求項１】
排水口に取付けられ、先細り状の傾斜面を有する排水口部材と、該排水口部材に着脱自在に装着され、複数の通水孔を有する逆円錐台状の目皿とからなる排水構造であって、上記排水口部材の内面の上記傾斜面は傾斜角度の大なる急傾斜面とそれに連なる傾斜角度の小なる緩傾斜面とからなり、上記目皿の裏面には支持脚が凸設された目皿装着型排水構造。
【請求項２】
上記緩傾斜面の下端を水平に延長して載置面とし、上記目皿の支持脚を載置するとともに、上記緩傾斜面下端と支持脚とを当接させた請求項１に記載の目皿装着型排水構造。
【請求項３】
上記支持脚を目皿とは別体とするとともに、その上部にビスを植設し、該支持脚が目皿の裏面に穿たれたビス孔に高さ調整自在に螺挿される請求項１に記載の目皿装着型排水構造。
【発明の詳細な説明】
【技術分野】
【０００１】
本発明は、排水口の構造に関する。さらに詳しくは、洗面化粧台の洗面ボウルやキッチンのシンク等の排水口に目皿を着脱自在に装着した目皿装着型排水構造に関する。
【背景技術】
【０００２】
例えば、上記洗面化粧台の洗面ボウルにおいて、その排水口部材に、指輪やコンタクトレンズ等の小物の貴重品類が誤って排水と一緒に流出しないように、目皿を装着することはよく行われている。その一例として、本願図４に示すように、洗面ボウル６の底部に設けた排水口部材８に通水孔３が穿たれた目皿９を設けることは公知である。上記目皿９は、本願図５に断面図で示されているように、通常、陶器製の逆円錐台形状の肉厚に形成されるとともに、目皿本体９１には複数の通水孔３が穿たれ、上記貴重品やゴミ、髪の毛等が排水と一緒に流出することを阻止するように排水口部材８に嵌設されている。また、底部には、脚部９２が凸設されている。
【０００３】
一方、下記特許文献１には、洗面器などの水回り容器に取付けられた排水金具と、この排水金具の排水口部に装着された排水目皿とを具備した排水装置において、上記排水目皿の側周面を傾斜させて上記排水口部内周の傾斜面と合致させるとともに、該排水目皿の上面部を上記排水金具の上端開口面より僅かに下方に位置させたことを特徴とする排水装置が開示されている。そして、貴重品の流出防止用排水目皿のガタ付きをなくし、しかも既存の排水装置にも、そのゴム栓に代えて排水目皿を装着できるという効果があると記載されている。
【特許文献１】特開２００１−９８６０２号公報（第１〜３頁、第１図、第２図、第３図）
【発明の開示】
【発明が解決しようとする課題】
【０００４】
しかしながら、上記特許文献１の記載の技術は、その第２図に示されているように、フランジ部や筒部を有しており、構造が複雑で構成部品が多いという問題がある。さらに、排水目皿の周囲にＯリング等、リング状弾性部材を周設しない場合は、必ずしも、排水目皿のガタ付きをなくすことはできないという問題もある。
【０００５】
本発明は、このような問題をなくし、洗面化粧台の洗面ボウルやキッチンのシンク等の水回りにおいて、多量の排水を一度に流す時に生じる目皿のガタ付きをなくすことができるとともに、スムースに排水することが可能な目皿を装着した排水口の構造を提供することを、その課題とする。
【課題を解決するための手段】
【０００６】
上記課題を解決するために、本発明においては、つぎのような技術的手段を講じている。すなわち、請求項１に記載の発明によれば、排水口に取付けられ、先細り状の傾斜面を有する排水口部材と、該排水口部材に着脱自在に装着され、複数の通水孔を有する逆円錐台状の目皿とからなる排水構造であって、上記排水口部材の内面の上記傾斜面は傾斜角度の大なる急傾斜面とそれに連なる傾斜角度の小なる緩傾斜面とからなり、上記目皿の裏面には支持脚が凸設された目皿装着型排水構造が提供される。
【０００７】
請求項２に記載の目皿装着型排水構造は、請求項１に記載の発明に加えて、上記緩傾斜面の下端を水平に延長して載置面とし、上記目皿の支持脚を載置するとともに、上記緩傾斜面下端と支持脚とを当接させたものである。
【０００８】
請求項３に記載の目皿装着型排水構造は、請求項１に記載の発明に加えて、上記支持脚を目皿とは別体とするとともに、その上部にビスを植設し、該支持脚が目皿の裏面に穿たれたビス孔に高さ調整自在に螺挿させたものである。
【発明の効果】
【０００９】
請求項１に記載の発明にかかる目皿装着型排水構造は上記のとおりであり、排水口に取付けられる排水口部材と、該排水口部材に着脱自在に装着され、複数の通水孔を有する逆円錐台状の目皿とから構成され、上記排水口部材は、内面が先細り形状の傾斜面を含んでなり、該傾斜面は急傾斜面と緩傾斜面とが連接されているため、上記通水孔の排出能力を超えて目皿の上で溢れた排水は、排水口部材と目皿との隙間から流下し、上記急傾斜面に連なる緩傾斜面で排水の水勢が弱められる。このように水勢が弱められるため、目皿が水流によって浮き上がり、上下に振動してガタつくことを防止できる。
【００１０】
請求項２に記載の目皿装着型排水構造は上記のとおりであり、請求項１の目皿装着型排水構造の有する効果に加え、上記緩傾斜面の下端を水平に延長して支持脚を載置する載置面とし、上記緩傾斜面下端と支持脚とを当接させることにより、上記緩傾斜面と載置部との境界面で目皿の横方向へのズレを防ぎ、水流によって目皿が移動することを防止できる。
【００１１】
請求項３に記載の目皿装着型排水構造は上記のとおりであり、請求項１の目皿装着型排水構造の有する効果に加え、目皿とは別体とした支持脚の上部にビスを植設し、該支持脚が目皿の裏面に穿たれたビス孔に高さ調整自在に螺挿されることにより、複数本の支持脚を各々、目皿の底面からの出寸法を調節して凸設することが可能となり、ぴったりと上記支持脚の下端周面を緩傾斜面と載置部との境界面に当接させることができる。
【発明を実施するための最良の形態】
【００１２】
以下、本発明にかかる目皿装着型排水構造を洗面化粧台の洗面ボウルに適用した実施形態について図面を参照して詳細に説明する。図１は、本発明の目皿装着型排水構造を示す断面図である。図１に示されるように、上記目皿装着型排水構造は、洗面化粧台の洗面ボウル６の排水口に取付けられ、先細り状の傾斜面を有する排水口部材Ａと、この排水口部材Ａに着脱自在に装着される逆円錐台状の目皿Ｂとから構成される。
【００１３】
上記目皿Ｂは、複数の通水孔３を有し、排水を通水するとともに、指輪やコンタクトレンズ等の小物の貴重品類やゴミ等の夾雑物が排水と一緒に流下することを阻止し、目皿Ｂの裏面に凸設された支持脚４によって支持される。上記排水口部材Ａは、内面は先細り状の傾斜面１を含んでなり、この傾斜面１は、傾斜角度の大なる急傾斜面１１とそれに連なる傾斜角度の小なる緩傾斜面１２とから構成される。さらに、緩傾斜面１２は水平に延長されて載置部２とされる。上記載置部２には支持脚４が載置され、上記通水孔３を通過した排水は、流下部５を経て図示しない排水管に排出される。
【００１４】
図２は、図１の要部を示す拡大断面図である。図２において、多量の排水を一度に流し、通水孔３を通過する排水量が急に大きくなったときや、通水孔３に目詰まりが生じたとき等、通水孔３の排水能力を排水量が超えた場合、目皿Ｂの上で溢れた排水は図２に示す矢印に沿って排水口部材Ａと目皿Ｂとの隙間から流下する。このとき、図５に示したように、傾斜面が急傾斜面のみからなる場合、排水が勢いよく流れ、目皿Ｂを上方に押し上げ、振動やガタつきが起こる。そこで本発明においては、図２に示すように、傾斜角度αの急傾斜面１１に連ねて傾斜角度βの緩傾斜面１２を設け、水勢を弱めるようにされている。このように、緩傾斜面１２を設けることにより、水流が弱められ、目皿Ｂが排水の勢いによって浮き上がり、上下に振動してガタつくことを防止できる。
【００１５】
また、本実施形態においては、図２に示すように、上記支持脚４の下端周面を緩傾斜面１２と載置部２との境界面１２１に当接して、目皿Ｂが装着される。このようにすることにより、目皿Ｂの横方向へのズレを防ぐことができる。したがって、上記緩傾斜面１２によって水勢を弱めて、浮き上がり、上下への振動を防止する効果と、横方向へのズレを防ぐ効果が相乗的に作用するため、目皿Ｂの浮き上がりやガタつきを防止し、排水時にカタカタと不快な音が発生することを防げる。
【００１６】
さらに、本実施形態の改善例として、目皿Ｂと別体とした支持脚４の上部にビス７を植設し、目皿Ｂの裏面に穿たれたビス孔７１に高さ調整自在に螺挿する形態とすることも可能である。図３は、上記改善例を説明するための説明図である。図３に示される複数本の支持脚４のビス７をビス孔７１に深さを変えて螺挿することにより、各々、目皿Ｂの底面からの出寸法を調節して凸設することが可能となる。
【００１７】
上記のように支持脚４を構成することにより、目皿Ｂの傾きを調整し、さらにぴったりと上記支持脚４の下端周面を緩傾斜面１２と載置部２との境界面１２１に当接することが可能となる。なお、支持脚４そのものをボルトで構成し、このボルトを目皿Ｂの裏面に設けられたボルト孔に高さ調整自在に螺挿してもよい。このように、本発明は種々設計変更可能であり、特許請求の範囲を逸脱しない限り、本発明の技術的範囲に属する。
【図面の簡単な説明】
【００１８】
【図１】本発明の目皿装着型排水構造を示す断面図である。
【図２】図１の要部を示す拡大断面図である。
【図３】本発明の目皿装着型排水構造の改善例を説明するための説明図である。
【図４】洗面ボウルの底部に排水口部材と目皿とが設けられた公知例を示す斜視図である。
【図５】公知の排水口部材と目皿とを示す断面図である。
【符号の説明】
【００１９】
Ａ          本発明の目皿装着型排水構造にかかる排水口部材
Ｂ          本発明の目皿装着型排水構造にかかる目皿
１          傾斜面
１１        急傾斜面
１２        緩傾斜面
１２１      境界面
２          載置部
３          通水孔
４          支持脚
５          流下部
６          洗面ボウル
７          ビス
７１        ビス孔
８          公知の排水口部材
９          公知の目皿
９１        公知の目皿本体
９２        公知の目皿の支持脚
【図１】
2008156881.tif 000003
【図２】
2008156881.tif 000004
【図３】
2008156881.tif 000005
【図４】
2008156881.tif 000006
【図５】
2008156881.tif 000007